(57)【特許請求の範囲】
【請求項１】
光源に向かう凸状に設けられ前記光源からの光を受光する受光部と、前記受光部の正面に凹状に設けられ前記受光部から入射された光を反射する反射面と、が設けられた導光板において、
前記受光部の前記光源と相対する受光面には、中央に設けられた凸面と、前記凸面の回りに設けられた平坦面と、が形成され、
前記受光面のうち、前記凸面を除いた全ての面が前記平坦面である
ことを特徴とする導光板。
【請求項２】
前記凸面の中心を通る中心軸と、前記反射面の中心を通る中心軸と、が一致する
ことを特徴とする請求項１に記載の導光板。
【請求項３】
前記凸面の中心を通る中心軸と、前記反射面の中心を通る中心軸と、がズレて設けられている
ことを特徴とする請求項１に記載の導光板。
【請求項４】
光源に向かう凸状に設けられ前記光源からの光を受光する受光部と、前記受光部の正面に凹状に設けられ前記受光部から入射された光を反射する反射面と、が設けられた導光板において、
前記受光部の前記光源と相対する受光面には、中央に設けられた凸面と、前記凸面の回りに設けられた、平坦面又は外側に向かうに従って前記光源に近づく傾斜面若しくは曲面と、が形成され、
前記凸面の中心を通る中心軸と、前記反射面の中心を通る中心軸と、がズレて設けられている
ことを特徴とする導光板。
【発明の詳細な説明】
【技術分野】
【０００１】
本発明は、導光板に係り、特に、光源に向かう凸状に設けられ前記光源からの光を受光する受光部と、前記受光部の正面に凹状に設けられ前記受光部から入射された光を反射する反射面と、が設けられた導光板に関するものである。
【背景技術】
【０００２】
自動車や船舶等の移動体には、各種の計測手段が計測した情報を移動体の乗員に対して表示する計器装置が搭載されている。このような計器装置のうち指針を用いるアナログ式の計器装置においては、光源の光によって文字板や該文字板上の指針を光輝させる形式のものがある。
【０００３】
このような計器装置は、ケースと、該ケースの内部に収容された配線板と、該配線板に実装された光源としてのＬＥＤと、該ケースの内部に収容されてＬＥＤからの光を文字板に導く導光板と、を備えている（特許文献１）。一般的に、このような計器に用いられる導光板２３は、図１３に示すように、導光板本体２３１と、該導光板本体２３１からＬＥＤ２６（＝光源）に向かって凸状に設けられＬＥＤ２６からの光を受光する受光部２３２と、受光部２３２の正面に凹状に設けられ受光部２３２から入射された光を反射する反射面２３３と、が設けられている。
【０００４】
上述した導光板２３においては、受光部２３２から受光した光Ｌは、反射面２３３で反射されて、導光板本体２３１に入射される。導光板本体２３１に入射された光Ｌは、その正面と背面とで反射を繰り返し、導光板本体２３１全体に導かれ、背面で反射した光Ｌの一部が正面から抜けることにより文字板（図示せず）を照明する。
【０００５】
ところで、図１３に示すように、反射面２３３の中心Ｏ２を通る中心軸Ｃ２と、ＬＥＤ２６の中心軸Ｃ３と、が一致する場合には、受光部２３２から入射した光は、反射面２３３の中心Ｏ２よりも図面左側と図面右側とに均等に入射されるため、反射面２３３でその中心Ｏ２よりも図面左方向と図面右方向とに均等に２分割されて反射される。
【０００６】
上述した導光板２３は、ＬＥＤ２６が実装された配線板とともにケースに組み付けられると反射面２３３の中心軸Ｃ２とＬＥＤ２６の中心軸Ｃ３とが一致するようになっているが、組み付け時の誤差などによって導光板２３とＬＥＤ２６とが正規位置からずれた位置に組みつけられると、図１３（Ｂ）に示すように、反射面２３３の中心軸Ｃ２とＬＥＤ２６の中心軸Ｃ３とがズレることがある。また、ＬＥＤ２６を配線板に実装する際にも、実装時の誤差によってＬＥＤ２６が正規位置からずれた位置に実装され、反射面２３３の中心軸Ｃ２とＬＥＤ２６の中心軸Ｃ３とがズレることがある。
【０００７】
例えば図１３（Ｂ）に示すように図面右側にＬＥＤ２６がズレると、受光部２３２から入射した光Ｌは、反射面２３３の中心Ｏ２よりもズレた方向側（図面右側）に入射する光Ｌの方が、ズレた方向と逆方向側（図面左側）に入射する光Ｌよりも多くなる。このため、反射面２３３でその中心Ｏ２よりも図面左方向と図面右方向とに均等に２分割されて反射されず、ＬＥＤ２６がズレた方向に反射される光Ｌの方が多くなり、希望とする輝度が得られず、文字板の見栄えが悪くなる、という問題があった。
【先行技術文献】
【特許文献】
【０００８】
【特許文献１】特開２０１０−３２３６９号公報
【発明の概要】
【発明が解決しようとする課題】
【０００９】
そこで、本発明は、光源の実装ズレや部品公差により光源と受光部との位置関係がずれても、反射面で分割する光の割合が変わらない導光板を提供することを課題とする。
【課題を解決するための手段】
【００１０】
上述した課題を解決するための請求項１記載の発明は、光源に向かう凸状に設けられ前記光源からの光を受光する受光部と、前記受光部の正面に凹状に設けられ前記受光部から入射された光を反射する反射面と、が設けられた導光板において、前記受光部の前記光源と相対する受光面には、中央に設けられた凸面と、前記凸面の回りに設けられた平坦面と、が形成され、前記受光面のうち、前記凸面を除いた全ての面が前記平坦面であることを特徴とする導光板に存する。
【００１１】
請求項２記載の発明は、前記凸面の中心を通る中心軸と、前記反射面の中心を通る中心軸と、が一致することを特徴とする請求項１に記載の導光板に存する。
【００１２】
請求項３記載の発明は、前記凸面の中心を通る中心軸と、前記反射面の中心を通る中心軸と、がズレて設けられていることを特徴とする請求項１に記載の導光板に存する。
請求項４記載の発明は、光源に向かう凸状に設けられ前記光源からの光を受光する受光部と、前記受光部の正面に凹状に設けられ前記受光部から入射された光を反射する反射面と、が設けられた導光板において、前記受光部の前記光源と相対する受光面には、中央に設けられた凸面と、前記凸面の回りに設けられた、平坦面又は外側に向かうに従って前記光源に近づく傾斜面若しくは曲面と、が形成され、前記凸面の中心を通る中心軸と、前記反射面の中心を通る中心軸と、がズレて設けられていることを特徴とする導光板に存する。
【発明の効果】
【００１３】
以上説明したように請求項１記載の発明によれば、光源が正規位置からズレた場合であっても、中央の凸面から受光された光は、凸面で屈折して光源がズレた方向と逆方向に導かれ、凸面の回りに設けられた、平坦面又は傾斜面若しくは曲面から受光された光は、そのまま正面に向かって導かれるため、光源の実装ズレや部品公差により光源と受光部との位置関係がずれても、反射面で分割する光の割合が変わらない導光板を提供できる。
【００１４】
請求項２記載の発明によれば、光源の実装ズレや部品公差により光源と受光部との位置関係がずれても、反射面を中心として均等に分割する導光板を提供できる。
【００１５】
請求項３記載の発明によれば、光源の実装ズレや部品公差により光源と受光部との位置関係がずれても、反射面の中心よりも凸面側に光を片寄らせて分割できる。
【図面の簡単な説明】
【００１６】
【図１】本発明の一実施形態にかかる導光板が用いられた車両用コンビネーションメータを示す分解斜視図である。
【図２】図１に示す導光板の斜視図である。
【図３】第１実施形態における図２のＩ−Ｉ線部分断面図である。
【図４】（Ａ）は、第１実施形態においてＬＥＤが正規位置に配置されたときのＬＥＤからの光を示す図であり、（Ｂ）は、第１実施形態においてＬＥＤが正規位置からずれたときのＬＥＤからの光を示す図である。
【図５】（Ａ）は、図３に示す凸面に入射された光が到達する反射面の範囲を示す図であり、（Ｂ）は、図３に示す平坦面に入射された光が到達する反射面の範囲を示す図である。
【図６】（Ａ）は第１実施形態の変形例における図２のＩ−Ｉ線断面図であり、（Ｂ）は、（Ａ）に示す凸面に入射された光が到達する反射面の範囲を示す図である。
【図７】（Ａ）は第１実施形態の変形例における図２のＩ−Ｉ線断面図であり、（Ｂ）は、（Ａ）に示す凸面に入射された光が到達する反射面の範囲を示す図である。
【図８】第１実施形態の変形例における図２のＩ−Ｉ線断面図である。
【図９】（Ａ）は第１実施形態の変形例における図２のＩ−Ｉ線断面図であり、（Ｂ）は、（Ａ）に示す傾斜面に入射された光が到達する反射面の範囲を示す図である。
【図１０】第１実施形態の変形例における図２のＩ−Ｉ線断面図である。
【図１１】第２実施形態における図２のＩ−Ｉ線断面図である。
【図１２】（Ａ）は、第２実施形態においてＬＥＤが正規位置に配置されたときのＬＥＤからの光を示す図であり、（Ｂ）及び（Ｃ）は、第２実施形態においてＬＥＤが正規位置からずれたときのＬＥＤからの光を示す図である。
【図１３】従来の導光板の部分断面図である。
【発明を実施するための形態】
【００１７】
第１実施形態
以下、本発明の第１実施形態にかかる導光板を図１ないし図５を参照して説明する。本発明の第１実施形態にかかる導光板２３は、図１に示すように、例えば、車両用コンビネーションメータ１に用いられる。車両用コンビネーションメータ１は、自動車等の移動体に搭載されて、移動体の乗員に対して移動体の状況を表示する装置である。この車両用コンビネーションメータ１は、図１に示すように、計器ユニット２と、計器ユニット２を構成する後述するムーブメント２４ａ〜２４ｄやＬＥＤ２６など電気部品が搭載される配線板３と、これら計器ユニット２及び配線板３を収容するケーシング４と、見返し部材５と、透明カバー６等を備えている。
【００１８】
この計器ユニット２は、車両の速度を表示するスピードメータ２ａと、エンジンの回転数を表示するタコメータ２ｂと、燃料の残量を表示するフェーエルゲージ２ｃと、エンジンの冷却水の温度を表示するテンパラチャゲージ２ｄと、を備えている。これらメータ２ａ、２ｂ及びゲージ２ｃ、２ｄは、各々、目盛が形成された文字板２１ａ〜２１ｄと、文字板２１ａ〜２１ｄの正面を回動し、文字板２１ａ〜２１ｄ上の目盛と協働して速度、回転数、燃料残量、温度を指示する指針２２ａ〜２２ｄと、後述するＬＥＤ２６（図３）からの光を文字板２１ａ〜２１ｄに導いて照明する導光板２３ａ〜２３ｄと、指針２２ａ〜２２ｄを駆動するムーブメント２４ａ〜２４ｄと、指針２２ａ〜２２ｄを照明するＬＥＤ（図示せず）と、導光板２３ａ〜２３ｄに光を導入して文字板２１ａ〜２１ｄを照明するＬＥＤ２６（図３）と、を備えている。
【００１９】
上記文字板２１ａ〜２１ｄは、例えば、透明な合成樹脂で構成され、円盤状に形成されている。この文字板２１ａ〜２１ｄの乗員と相対する正面には、遮光層が形成され、この遮光層の一部が除去されることで、目盛が形成される。上記指針２２ａ〜２２ｄは、例えば、透明な合成樹脂で構成され、ＬＥＤ２５からの光を導光することによって全体が光輝する。上記導光板２３ａ〜２３ｄは、文字板２１ａ〜２１ｄの背面に配置され、ＬＥＤ２６からの光を文字板２１ａ〜２１ｄの背面に導いて、文字板２１ａ〜２１ｄ上の遮光層が除去されている目盛を光輝させる。なお、導光板２３ａ〜２３ｄの詳細な構成については後述する。
【００２０】
上述したムーブメント２４ａ〜２４ｄ、ＬＥＤ２６は、導光板２３ａ〜２３ｄの背面に配置された配線板３に搭載されている。上記ケーシング４は、合成樹脂等から形成されて、略平板状の表ケース４１と、該表ケース４１側に開口した箱状の裏ケース４２と、を備えている。上記表ケース４１の正面には、導光板２３ａ〜２３ｄ及び文字板２１ａ〜２１ｄを嵌めて取り付ける取付凹部４１ａが設けられている。この表ケース４１が裏ケース４２の外縁に取り付けられて、ケーシング４が組み立てられる。
【００２１】
上記見返し部材５は、表ケース４１に取り付けられる。見返し部材５は、文字板２１ａ〜２１ｄをそれぞれ乗員に対して露出させる露出窓５ａ〜５ｄが設けられている。見返し部材５は、メータ２ａ、２ｂ及びゲージ２ｃ、２ｄ以外を乗員に対して遮蔽する。
【００２２】
透明カバー６は、透明な合成樹脂で構成され、平板状に形成されている。透明カバー６は、見返し部材５の開口面を覆うように該見返し部材５等に取り付けられ、車両用コンビネーションメータ１内への埃などが侵入するのを防ぐ。
【００２３】
次に、上記導光板２３ａ〜２３ｄの詳細な構成について説明する。導光板２３ａ〜２３ｄは、互いに略同等の構成をなしているため、以下、スピードメータ２ａ用の導光板２３ａ（以下導光板２３と略記）を代表して説明する。
【００２４】
上記導光板２３は、アクリル樹脂やポリカーボネート樹脂等の透光性の合成樹脂等で構成されている。導光板２３は、図２及び図３に示すように、導光板本体２３１と、導光板本体２３１の背面からＬＥＤ２６に向かう凸状に設けられ、ＬＥＤ２６からの光を受光する受光部２３２と、受光部２３２の正面に凹状に設けられ、受光部２３２から入射された光を反射する反射面２３３と、が設けられている。
【００２５】
上記導光板本体２３１は、円盤状に形成され、文字板２１ａと略同形状に形成されている。導光板本体２３１の中央には、貫通孔２３４が設けられている。貫通孔２３４は、平面形状が円形状に形成され、内部にムーブメント２４ａの出力軸や指針２２ａの受光部を位置付ける。
【００２６】
上記受光部２３２は、略円柱状に形成され、ＬＥＤ２６に近づくに従ってその径が小さくなるように設けられている。受光部２３２は、ＬＥＤ２６に対応して複数設けられ、本実施形態では２つ設けられている。この受光部２３２のＬＥＤ２６と相対する面には、図３に示すように、ＬＥＤ２６からの光Ｌ（図４）を受光する受光面２３５が設けられている。そして、上記受光面２３５には、中央に設けられた凸面２３６と、凸面２３６の回りに設けられた平坦面２３７と、が設けられている。
【００２７】
上記凸面２３６は、背面から見て円状に設けられ、その中心が最もＬＥＤ２６に近く（最も突出し）、円の外側に向かうに従ってＬＥＤ２６から離れるレンズ面に設けられている。凸面２３６は、その中心Ｏ１を通る中心軸Ｃ１に対して軸対称に形成されている。なお、ここで、凸面２３６の中心Ｏ１とは、凸面２３６のうちＬＥＤ２６に最も近い点を言い、中心軸Ｃ１は、凸面２３６の中心Ｏ１を通りＬＥＤ２６からの光の出射面２６ａに垂直な方向に沿った軸を言う。上記平坦面２３７は、中心軸Ｃ１に垂直な平坦面に設けられ、背面から見て凸面２３６を囲むリング状に設けられている。平坦面２３７の幅は均一である。
【００２８】
上記反射面２３３は、正面から見て円状に設けられ、その中心が最もＬＥＤ２６に近く（最も凹み）、円形の外側に向かうに従ってＬＥＤ２６から離れる曲面に設けられている。なお、この曲面は、反射面２３３の中心に向かって凸となる曲面である。この反射面２３３も、その中心Ｏ２を通る中心軸Ｃ２に対して軸対称に形成されている。なお、ここで、反射面２３３の中心Ｏ２とは、反射面２３３のうちＬＥＤ２６に最も近い点を言い、中心軸Ｃ２は、反射面２３３の中心Ｏ２を通りＬＥＤ２６からの光の出射面２６ａに垂直な方向に沿った軸を言う。そして、図３に示すように、上記凸面２３６の中心Ｏ１を通る中心軸Ｃ１と、反射面２３３の中心Ｏ２を通る中心軸Ｃ２とが一致するように、凸面２３６及び反射面２３３が受光部２３２に設けられている。
【００２９】
次に、上述した構成の導光板２３の効果について、図４などを参照して説明する。まず、ＬＥＤ２６が正規位置（ＬＥＤ２６の中心を通る中心軸Ｃ３と凸面２３６の中心軸Ｃ１とが一致する位置）に配置された場合について考える。なお、ＬＥＤ２６の中心とは、ＬＥＤ２６の出射面２６ａの中心を言い、中心軸Ｃ３とは、ＬＥＤ２６の中心を通り出射面２６ａに垂直な方向に沿った軸を言う。
【００３０】
この場合、図４（Ａ）に示すように、ＬＥＤ２６から出射した光Ｌは、凸面２３６の中人軸Ｃ１を軸とした軸対称に入射される。そして、凸面２３６から受光された光Ｌは、凸面２３６で中心軸Ｃ１に向かって屈折されて反射面２３３に向かって進む。一方、平坦面２３７から受光された光Ｌも、平坦面２３７で中心軸Ｃ１に向かって若干屈折されて反射面２３３に向かって進む。このとき、図４（Ａ）に示すように、Ｉ−Ｉ線断面において、ＬＥＤ２６の中心軸Ｃ３よりも図面右側から出射された光Ｌは、反射面２３３の中心Ｏ２よりも図面右側の反射面２３３に入射されて反射される。また、ＬＥＤ２６の中心軸Ｃ３よりも図面左側から出射された光Ｌは、反射面２３３の中心Ｏ２よりも図面左側の反射面２３３に入射されて反射される。即ち、正規位置にあればＬＥＤ２６からの光Ｌは、反射面２３３の中心Ｏ２から３６０度均等に放射状に反射される。
【００３１】
次に、ＬＥＤ２６が正規位置からズレた位置に配置された場合について考える。図４（Ｂ）に示す例では、Ｉ−Ｉ線断面において、ＬＥＤ２６の中心軸Ｃ３が凸面２３６と平坦面２３７との境界まで図面右側にズレている。この場合、凸面２３６から受光された光Ｌのうち中心軸Ｃ１に近い強い光Ｌが、凸面２３６でＬＥＤ２６がズレた方向と逆方向に向かって屈折される。平坦面２３７から入射された光Ｌは、平坦面２３７で凸面２３６の中心軸Ｃ１に向かって若干屈折されるもののそのまま正面に向かって出射される。
【００３２】
従って、図５（Ａ）に示すように、凸面２３６から受光された、中心軸Ｃ３に近く比較的強い光Ｌは、ＬＥＤ２６がズレた方向と逆方向の反射面２３３に向かって出射される。一方、図５（Ｂ）に示すように、ＬＥＤ２６がズレた方向（図面右方向）の平坦面２３７から入射された、中心軸Ｃ３に近く比較的強い光Ｌは、そのまま正面に進みズレた方向の反射面２３３に向かって出射される。また、ＬＥＤ２６がズレ方向と逆方向（図面左方向）の平坦面２３７から入射された光Ｌは、そのまま正面に進みズレた方向と逆方向の反射面２３３に向かって出射されるが、この光Ｌは弱い光である。従って、中心軸Ｃ１に近い強い光Ｌが、ＬＥＤ２６のズレた方向とその逆方向とに均等に入射されるため、ＬＥＤ２６を正規位置に配置したときと同様に反射面２３３の中心Ｏ２から３６０度均等に放射状に反射される。
【００３３】
以上の説明からも明らかなように、ＬＥＤ２６の実装ズレや部品公差によりＬＥＤ２６と受光部２３２との位置関係がずれても、反射面２３３で分割する光の割合が変わらず、反射面２３３の中心Ｏ２から３６０度均等に放射状に反射できる導光板２３を提供できる。
【００３４】
なお、上述した第１実施形態においては、凸面２３６は、凸レンズ状に設けていたが、本発明はこれに限ったものではない。凸面２３６としては、凸面２３６から受光した光Ｌが、ＬＥＤ２６がズレた方向と逆方向に向かって屈折されるような形状であればよく、例えば、図６に示すように、円錐状に設けても良いし、図７に示すように、円錐の頂点に平坦面を設けた形状にしてもよい。また、図８に示すように、三角錐状の凸面２３６を複数設けても良い。
【００３５】
また、上述した第１実施形態においては、凸面２３６の回りには平坦面２３７が設けられていたが、本発明はこれに限ったものではない。凸面２３６の回りは、受光した光が屈折せず、または、多少屈折してもそのまま正面に向かうような形状であればよく、例えば、図９及び図１０に示すように、外側に向かうに従ってＬＥＤ２６に近づく傾斜面２３８や曲面２３９に設けても良い。
【００３６】
第２実施形態
次に、本発明の第２実施形態にかかる導光板２３を図１１及び図１２を参照して以下説明する。第１実施形態と第２実施形態とで異なる点は、反射面２３３と凸面２３６との位置である。第１実施形態では、凸面２３６の中心Ｏ１を通る中心軸Ｃ１と、反射面２３３の中心Ｏ２を通る中心軸Ｃ２とが一致するように、凸面２３６及び反射面２３３が受光部２３２に設けられていたが、第２実施形態では、凸面２３６の中心Ｏ１を通る中心軸Ｃ１と、反射面２３３の中心Ｏ２を通る中心軸Ｃ２と、がズレるように凸面２３６及び反射面２３３が受光部２３２に設けられている。そして、凸面２３６のズレた方向の平坦面２３７の幅がズレ方向とは逆側の平坦面２３７の幅よりも狭くなっている。その他の構成については、第１実施形態と同等であるため、ここでは詳細な説明を省略する。
【００３７】
次に、上述した構成の導光板２３の効果について図１２を参照して説明する。まず、ＬＥＤ２６が正規位置（ＬＥＤ２６の中心軸Ｃ３と凸面２３６の中心軸Ｃ１とが一致する位置）に配置された場合について考える。
【００３８】
この場合、図１２（Ａ）に示すように、ＬＥＤ２６から出射した光Ｌは、凸面２３６の中心軸Ｃ１を軸とした軸対称に入射される。そして、凸面２３６から受光された光Ｌは、凸面２３６で中心軸Ｃ１に向かって屈折されて反射面２３３に向かって進む。一方、平坦面２３７から受光された光Ｌも、平坦面２３７で中心に向かって若干屈折されて反射面２３３に向かって進む。一方、平坦面２３７から受光された光Ｌも、平坦面２３７で中心軸Ｃ１に向かって若干屈折されて反射面２３３に向かって進む。このとき、図１２（Ａ）に示すように、Ｉ−Ｉ線断面図において、凸面２３６の中心軸Ｃ１が反射面２３３の中心軸Ｃ２よりも中心軸Ｃ１よりも図面左側にズレているため、反射面２３３の中心Ｏ２よりも図面左側により多くの光Ｌが入射されて反射される。このため、反射面２３３は、ＬＥＤ２６からの光Ｌをその中心Ｏ２よりも凸面２３６側に片寄らせて分割する。
【００３９】
次に、ＬＥＤ２６が正規位置からズレた位置に配置された場合について考える。図１２（Ｂ）に示す例では、Ｉ−Ｉ線断面において、ＬＥＤ２６の中心軸Ｃ３が凸面２３６と平坦面２３７との境界まで図面右側にズレている。この場合、凸面２３６から受光された光Ｌのうち中心軸Ｃ１に近い強い光Ｌは、凸面２３６でＬＥＤ２６がズレた方向と逆方向に向かって屈折される。結果、その光Ｌは、中心Ｏ２よりもＬＥＤ２６のズレ方向と逆側の反射面２３３に入射される。平坦面２３７から入射された光Ｌは、平坦面２３７で反射面２３３の中心Ｏ２に向かって若干屈折されるもののそのまま正面に向かって出射される。従って、反射面２３３の中心Ｏ２よりも図面左側により多くの光Ｌが入射されて反射され、ＬＥＤ２６が正規位置にあるときとほぼ同様に、反射面２３３は、ＬＥＤ２６からの光Ｌをその中心Ｏ２よりも凸面２３６側に片寄らせて分割する。
【００４０】
図１２（Ｃ）に示す例では、Ｉ−Ｉ線断面において、ＬＥＤ２６の中心軸Ｃ３が凸面２３６と平坦面２３７との境界まで図面左側にズレている。この場合、凸面２３６から受光された光Ｌのうち中心軸Ｃ１に近い強い光Ｌは、凸面２３６でＬＥＤ２６がズレた方向と逆方向に向かって屈折される。平坦面２３７から入射された光は、平坦面２３７で反射面２３３の中心Ｏ２に向かって若干屈折されて出射される。また、反射面２３３の中心Ｏ２よりも凸面２３６側の平坦面２３７の幅が狭くなっているため、凸面２３６側から受光部２３２に入射する光Ｌも制限することができ、結果として、ＬＥＤ２６が正規位置にあるときとほぼ同様の割合で、反射面２３３は、ＬＥＤ２６からの光Ｌをその中心Ｏ２よりも凸面２３６側に片寄らせて分割する。
【００４１】
以上の説明からも明らかなように、ＬＥＤ２６の実装ズレや部品公差によりＬＥＤ２６と受光部２３２との位置関係がずれても、反射面２３３で分割する光の割合が変わらず、反射面２３３の中心Ｏ２よりも凸面２３６側に片寄らせて分割できる。
【００４２】
なお、第２実施形態においては、凸面２３６は、レンズ面に設けていたが、本発明はこれに限ったものではない。凸面２３６としては、第１実施形態で説明した図６〜図８に示すように、円錐状に設けても良いし、円錐の頂点に平坦面を設けた形状にしてもよいし、三角錐状の凸面２３６を複数設けても良い。
【００４３】
また、上述した第２実施形態においては、凸面２３６の回りには平坦面２３７が設けられていたが、本発明はこれに限ったものではない。凸面２３６の回りは、受光した光が屈折せず、または、反射面２３３の中心に向かって屈折するような形状であればよく、第１実施形態と同様に、例えば、図９及び図１０に示すように、外側に向かうに従ってＬＥＤ２６に近づく傾斜面２３８や曲面２３９に設けても良い。
【００４４】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
２３    導光板
２６    ＬＥＤ（光源）
２３２  受光部
２３３  反射面
２３５  受光面
２３６  凸面
２３７  平坦面
２３８  傾斜面
２３９  曲面
Ｏ１    中心
Ｏ２    中心
Ｃ１    中心軸
Ｃ２    中心軸
【図１】
0005940314.tif 000002
【図２】
0005940314.tif 000003
【図３】
0005940314.tif 000004
【図４】
0005940314.tif 000005
【図５】
0005940314.tif 000006
【図６】
0005940314.tif 000007
【図７】
0005940314.tif 000008
【図８】
0005940314.tif 000009
【図９】
0005940314.tif 000010
【図１０】
0005940314.tif 000011
【図１１】
0005940314.tif 000012
【図１２】
0005940314.tif 000013
【図１３】
0005940314.tif 000014